(57)【要約】【課題】電源投入時に正しく起動できる小型の無線通信装置を提供すること。【解決手段】ベースバンド信号処理を行うＢＢＩＣと、高周波信号処理を行うＲＦＩＣと、水晶振動子とを備える無線通信装置である。ＲＦＩＣは、水晶振動子の発振周波数に基づくクロック信号の周波数を調整するための調整値を保持し、リセットがアクティブの状態から解除されると調整値を出力する記憶部と、記憶部が記憶する調整値に従ってクロック信号の周波数を調整する周波数調整部と、クロック信号に従って高周波信号処理を行うＲＦ信号処理部とを有する。水晶振動子及び周波数調整部から構成される発振回路から出力されるクロック信号は、ＲＦ信号処理部及びＢＢＩＣに供給される。ＢＢＩＣは、記憶部のリセット及びＢＢＩＣが行うベースバンド信号処理のリセットを制御する。【選択図】図１
2014165516.tif 000002
【特許請求の範囲】
【請求項１】
ベースバンド信号処理を行うＢＢＩＣと、高周波信号処理を行うＲＦＩＣと、水晶振動子と、を備える無線通信装置であって、
前記ＲＦＩＣは、
前記水晶振動子の発振周波数に基づくクロック信号の周波数を調整するための調整値を保持し、リセットがアクティブの状態から解除されると前記調整値を出力する記憶部と、
前記記憶部が記憶する調整値に従って前記クロック信号の周波数を調整する周波数調整部と、
前記クロック信号に従って動作し、高周波信号処理を行うＲＦ信号処理部と、を有し、
前記水晶振動子及び前記周波数調整部から構成される発振回路から出力される前記クロック信号は、前記ＲＦ信号処理部及び前記ＢＢＩＣに供給され、
前記ＢＢＩＣは、前記記憶部のリセット及び前記ＢＢＩＣが行うベースバンド信号処理のリセットを制御することを特徴とする無線通信装置。
【請求項２】
請求項１に記載の無線通信装置であって、
前記ＢＢＩＣは、前記記憶部のリセットを解除して前記クロック信号が前記ＢＢＩＣに入力された後、前記ベースバンド信号処理のリセットを解除することを特徴とする無線通信装置。
【請求項３】
請求項２に記載の無線通信装置であって、
前記ＢＢＩＣは、前記記憶部のリセットを解除して所定時間経過後に、前記ベースバンド信号処理のリセットを解除することを特徴とする無線通信装置。
【請求項４】
請求項２に記載の無線通信装置であって、
前記ＢＢＩＣは、前記記憶部のリセットを解除した後、前記クロック信号の入力を検出すると、前記ベースバンド信号処理のリセットを解除することを特徴とする無線通信装置。
【請求項５】
請求項１〜４のいずれか一項に記載の無線通信装置であって、
前記ＢＢＩＣは、前記ベースバンド信号処理のリセットを解除した後、前記ＲＦ信号処理部が行う高周波信号処理のリセットを解除することを特徴とする無線通信装置。
【請求項６】
請求項１〜４のいずれか一項に記載の無線通信装置であって、
前記ＢＢＩＣは、前記記憶部のリセットを解除して前記クロック信号が前記ＢＢＩＣに入力された後、前記ＲＦ信号処理部が行う高周波信号処理のリセットを解除することを特徴とする無線通信装置。
【請求項７】
請求項１〜６のいずれか一項に記載の無線通信装置であって、
前記ＢＢＩＣは、
前記クロック信号に従って動作し、ベースバンド信号処理を行うＢＢ信号処理部と、
前記記憶部のリセット及び前記ＢＢＩＣが行うベースバンド信号処理のリセットを制御するＢＢ制御部と、
を有することを特徴とする無線通信装置。
【請求項８】
請求項７に記載の無線通信装置であって、
前記ＢＢＩＣは、
前記ＢＢ制御部に外部クロック信号を供給するＢＢクロック端子と、
前記ＢＢ制御部のリセットを制御するＢＢリセット端子と、
を有することを特徴とする無線通信装置。
【請求項９】
請求項１〜８のいずれか一項に記載の無線通信装置であって、
前記ＢＢＩＣは、前記ＲＦＩＣへの電源供給を制御することを特徴とする無線通信装置。
【請求項１０】
ベースバンド信号処理を行うＢＢＩＣと、高周波信号処理を行うＲＦＩＣと、水晶振動子と、を備える無線通信装置の起動方法であって、
前記ＲＦＩＣが有する、前記水晶振動子の発振周波数に基づくクロック信号の周波数を調整するための調整値を保持する記憶部が、リセットがアクティブの状態から解除されると前記調整値を出力し、
前記記憶部が記憶する調整値に従って前記クロック信号の周波数を調整し、
前記水晶振動子を含む発振回路から出力された前記クロック信号が、前記ＲＦ信号処理部及び前記ＢＢＩＣに供給され、
前記ＢＢＩＣが、前記記憶部のリセット及び前記ＢＢＩＣが行うベースバンド信号処理のリセットを制御することを特徴とする起動方法。
【発明の詳細な説明】
【技術分野】
【０００１】
本発明は、ＩＣに供給する基準クロックの周波数を調整する無線通信装置及びこの無線通信装置の起動方法に関する。
【背景技術】
【０００２】
携帯電話又はノートパソコン等のモバイル機器には、外部機器とデータ通信を行うための無線通信機能が搭載されている。
【０００３】
図６は、特許文献１に記載されている無線ＬＡＮ装置の構成図である。図６に示す無線ＬＡＮ装置は、高周波信号処理を行うＩＣチップ４と、ベースバンド信号処理を行うＩＣチップ２と、ＩＣチップ２にクロック信号を供給するオシレータ３と、ＩＣチップ４にクロック信号を供給するオシレータ５と、アンテナ６とから構成されている。当該無線ＬＡＮ装置は、他の端末へ送信する情報を上位ＣＰＵ１から受け取り、変調した後にアンテナ６から送信する。また、当該無線ＬＡＮ装置は、他の端末から送信された信号をアンテナ６で受信して復調した後に上位ＣＰＵ１へ渡す。
【０００４】
ＩＣチップ２には、オシレータ３からクロック信号が供給される。このクロック信号は、チップ内ＣＰＵ２２を動作させるために用いられる。ＩＣチップ４には、オシレータ５からクロック信号が供給される。当該クロック信号は、ＩＣチップ４を介してＩＣチップ２へも供給される。ＩＣチップ２内のＢＢ処理部２４及びＭＡＣ処理部２３は、ＩＣチップ４を介して供給されたクロック信号で動作する。
【先行技術文献】
【特許文献】
【０００５】
【特許文献１】特許第４４１３７５３号公報
【特許文献２】特開２０１０−１９２０４２号公報
【特許文献３】特開２００７−３３４５１４号公報
【特許文献４】特開２００６−１１５１３０号公報
【特許文献５】特許第４７２８６５５号公報
【特許文献６】特開２０１１−１６６３６８号公報
【発明の概要】
【発明が解決しようとする課題】
【０００６】
ＩＣチップ内で変復調処理に用いられるクロック信号には、周波数精度が求められる。クロック信号の供給源である発振回路は、固有の周波数で発振する水晶振動子と、水晶振動子を駆動する周波数調整部とから構成される。但し、周波数調整部はＩＣチップに内蔵され、水晶振動子はＩＣチップの外付けとすることが望ましい。周波数調整部は、発振回路における負荷容量等の定数を調整することで、クロック信号の発振周波数等を調整する。
【０００７】
通常、発振回路の定数を調整するための調整値は、ＩＣチップ内に設けられたヒューズ又はフラッシュメモリ等の不揮発性のメモリに格納されることが多い（特許文献６の段落［００２５］などの記載を参照）。水晶振動子を含む発振回路の個体ばらつきに起因する発振周波数のばらつきは、例えば、ヒューズに格納する値をあらかじめ調整しておくことで補正できる。
【０００８】
ヒューズは、ライトワンス（１回のみ書き込み可能）なメモリであり、電気的にプログラムして値を書き込むもの又はレーザーにより切断することで値を書き込むものがある。一度書き換えられた値は電源供給を停止しても保持されており、再度電源を投入すれば同じ値が得られる。
【０００９】
ヒューズにはリセット端子が設けられていることがある。このようなヒューズから正しく値を読み出すには、電源投入後にリセットをアクティブにする必要がある（特許文献２の段落[０００３]などの記載を参照）。通常、リセットをアクティブにした状態のヒューズからは全て１（又は全て０）のデータで示される値が出力され、リセットを解除すると、当該ヒューズに書き込まれた値が出力される。
【００１０】
しかし、特許文献１の無線ＬＡＮ装置に対し、上記説明したヒューズによりクロック信号の発振周波数を調整する機能を適用すると、以下の問題が発生することが考えられる。上述したように、リセット端子が設けられたヒューズから正しい調整値を読み出すためには、ヒューズのリセットをアクティブの状態から解除する必要がある。なお、ヒューズのリセットがアクティブの状態では、クロック信号の発振周波数を所望の値に調整するための調整値は当該ヒューズから出力されていないため、発振回路が発振せずにクロック信号が出力されない場合がある。一方、高周波信号処理又はベースバンド信号処理を行うＩＣチップにもリセット端子があり、電源投入時にはＩＣチップにおけるリセットを一旦アクティブにした後、解除する必要がある。つまり、電源投入時には、ヒューズ及びＩＣチップに対するリセット信号を適切に制御しなければクロック信号が供給されず、この場合、無線ＬＡＮ装置を正しく起動できない。なお、特許文献１には、クロック信号とＩＣチップ内の信号処理回路の起動の順番が開示されているが、リセット信号に関する開示はない。
【００１１】
特許文献３は、電源投入時にＣＰＵの動作開始を待ち合わせるためのタイミング調整手段を要せず、速やかに装置を起動させることを目的としたものである。特許文献３には、外部から複数のＩＣへ共通のリセット信号を供給する構成が開示されている。
【００１２】
特許文献４は、複数の半導体集積回路に同一のクロック信号を出力する情報処理装置において、取り付け基板のアートワークの自由度を高めつつパワーオンリセットを安価な構成にて実現することを目的としたものである。特許文献４には、ある１つのＩＣが起点となって、他のＩＣへクロック信号を供給して一定時間経過後、他のＩＣへリセット信号を供給する構成が開示されている。
【００１３】
特許文献５は、メインＣＰＵとサブＣＰＵと周辺ＩＯから構成される装置において、サブＣＰＵなどを異常状態から自動復旧することを目的としたものである。特許文献５には、メインＣＰＵからサブＣＰＵへリセット信号を送出し、サブＣＰＵが周辺ＩＯに向けてリセット信号を送出する構成が開示されている。
【００１４】
特許文献３〜特許文献５は、いずれも各ＩＣがリセット端子を１つだけ有していることを想定している。当該構成を適用した場合には、高周波信号処理を行うＩＣチップ内のヒューズと信号処理回路に対するリセットが同時に解除され、ヒューズのリセットが解除されることで発振回路が発振を始める。しかし、発振回路が発振を開始してから安定するまでは不安定なクロック信号がＩＣチップに供給される。この不安定なクロック信号は誤動作の原因となる。
【００１５】
この状態を回避するための対策として、ヒューズ及びＩＣチップに対する各リセット信号を外部から供給する端子を構成することも考えられる。しかし、この場合、ユーザが複数のリセット信号の供給を適切に制御する必要があるので、ユーザの負担が増大してしまう。また、端子数が増えるため、装置の小型化を阻害する。
【００１６】
本発明の目的は、電源投入時に正しく起動できる小型化可能な無線通信装置及びこの無線通信装置の起動方法を提供することである。
【課題を解決するための手段】
【００１７】
本発明は、ベースバンド信号処理を行うＢＢＩＣと、高周波信号処理を行うＲＦＩＣと、水晶振動子と、を備える無線通信装置であって、前記ＲＦＩＣは、前記水晶振動子の発振周波数に基づくクロック信号の周波数を調整するための調整値を保持し、リセットがアクティブの状態から解除されると前記調整値を出力する記憶部と、前記記憶部が記憶する調整値に従って前記クロック信号の周波数を調整する周波数調整部と、前記クロック信号に従って動作し、高周波信号処理を行うＲＦ信号処理部と、を有し、前記水晶振動子及び前記周波数調整部から構成される発振回路から出力される前記クロック信号は、前記ＲＦ信号処理部及び前記ＢＢＩＣに供給され、前記ＢＢＩＣは、前記記憶部のリセット及び前記ＢＢＩＣが行うベースバンド信号処理のリセットを制御する無線通信装置を提供する。
【００１８】
また、本発明は、ベースバンド信号処理を行うＢＢＩＣと、高周波信号処理を行うＲＦＩＣと、水晶振動子と、を備える無線通信装置の起動方法であって、前記ＲＦＩＣが有する、前記水晶振動子の発振周波数に基づくクロック信号の周波数を調整するための調整値を保持する記憶部が、リセットがアクティブの状態から解除されると前記調整値を出力し、前記記憶部が記憶する調整値に従って前記クロック信号の周波数を調整し、前記水晶振動子を含む発振回路から出力された前記クロック信号が、前記ＲＦ信号処理部及び前記ＢＢＩＣに供給され、前記ＢＢＩＣが、前記記憶部のリセット及び前記ＢＢＩＣが行うベースバンド信号処理のリセットを制御する起動方法を提供する。
【発明の効果】
【００１９】
本発明によれば、電源投入時に正しく起動できる小型化可能な無線通信装置及びこの無線通信装置の起動方法を実現することができる。
【図面の簡単な説明】
【００２０】
【図１】本発明の実施の形態１の無線通信装置１００の内部構成を示すブロック図
【図２】周波数調整部１０８と水晶振動子１０３から構成される発振回路１１０の回路の一例を示す図
【図３】実施の形態１の無線通信装置１００の電源が投入された際の起動手順を示すフローチャート
【図４】本発明の実施の形態２の無線通信装置２００の内部構成を示すブロック図
【図５】実施の形態２の無線通信装置２００の電源が投入された際の起動手順を示すフローチャート
【図６】特許文献１に記載されている無線ＬＡＮ装置の構成図
【発明を実施するための形態】
【００２１】
以下、本発明の実施の形態について、図面を参照しながら説明する。
【００２２】
（実施の形態１）
図１は、本発明の実施の形態１の無線通信装置１００の内部構成を示すブロック図である。図１に示すように、実施の形態１の無線通信装置１００は、ＢＢ（Baseband）ＩＣ１０１と、ＲＦ（Radio Frequency）ＩＣ１０２と、水晶振動子１０３と、アンテナ１０４とを備える。ＢＢＩＣ１０１は、ＢＢ制御部１０５と、ＢＢ信号処理部１０６とを有する。ＲＦＩＣ１０２は、ヒューズ１０７と、周波数調整部１０８と、ＲＦ信号処理部１０９とを有する。なお、水晶振動子１０３と周波数調整部１０８によって発振回路１１０が構成される。以下、各構成要素について説明する。なお，図１に示される括弧書きの番号は、無線通信装置１００の電源が投入されたときの起動手順の順序を示す。
【００２３】
ＢＢ制御部１０５は、無線通信装置１００の外部から供給される外部クロック信号に従って動作する。また、ＢＢ制御部１０５は、ＢＢＩＣ用リセットがアクティブにされた後、当該ＢＢＩＣ用リセットが解除されると、それぞれ所定のタイミングで、ＲＦＩＣ１０２のヒューズ１０７のリセット及びＢＢ信号処理部１０６のリセットを制御する。なお、ＢＢ制御部１０５に入力されるリセット信号がロー（Ｌ）レベルであればＢＢＩＣ用リセットがアクティブになり、その後、当該リセット信号がハイ（Ｈ）レベルに変わればＢＢＩＣ用リセットが解除される。なお、リセット信号の極性については、上記関係に限定されず、ハイ（Ｈ）レベルでリセットがアクティブになり、ロー（Ｌ）レベルでリセットが解除されるものであってもよい。以下の説明では、ロー（Ｌ）レベルでリセットがアクティブになり、ハイ（Ｈ）レベルでリセットが解除されるものとして説明を行う。
【００２４】
ＢＢ制御部１０５によるＲＦＩＣ１０２のヒューズ１０７のリセットの制御は、ＢＢＩＣ用リセットの解除後、行われる。また、ＢＢ制御部１０５によるＢＢ信号処理部１０６のリセットの解除は、ＢＢ制御部１０５がヒューズ１０７のリセットを解除した時点から所定時間経過した時又は発振回路１１０からの安定したクロック信号の入力を検出した時に行われる。
【００２５】
ＢＢ信号処理部１０６は、後述するＲＦＩＣ１０２からのクロック信号に従って動作し、ベースバンド信号処理を行う。すなわち、ＢＢ信号処理部１０６は、送信するデジタルデータを所定の変調方式で変調したベースバンド帯の変調信号を生成するとともに、ＲＦＩＣ１０２のＲＦ信号処理部１０９から入力される受信信号を復調して元のデジタルデータに復調する。また、ＢＢ信号処理部１０６は、メディアアクセス制御（Media Access Control：MAC）を行う。なお、ＢＢ信号処理部１０６は、ＢＢ制御部１０５によってリセットが制御される。ＢＢ信号処理部１０６に入力されるリセット信号がロー（Ｌ）レベルであればＢＢリセットがアクティブになり、その後、当該リセット信号がハイ（Ｈ）レベルに変わればＢＢリセットが解除される。
【００２６】
ヒューズ１０７は、ＲＦＩＣ１０２に設けられたライトワンスのメモリである。ヒューズ１０７は、水晶振動子１０３の発振周波数のばらつきに応じた、発振回路１１０における負荷容量の定数を設定するための調整値を保持する。当該調整値は、あらかじめ無線通信装置１００の出荷前にヒューズ１０７に書き込まれる。
【００２７】
ヒューズ１０７は、ＢＢＩＣ１０１のＢＢ制御部１０５によってリセットが制御される。ヒューズ１０７は、ヒューズリセットがアクティブにされた後、当該ヒューズリセットが解除されると、保持している調整値を示す調整信号を出力する。ヒューズ１０７に入力されるリセット信号がロー（Ｌ）レベルであればヒューズリセットがアクティブになり、その後、当該リセット信号がハイ（Ｈ）レベルに変わればヒューズリセットが解除される。なお、ヒューズリセットがアクティブの状態のヒューズ１０７からは全て１（または全て０）のデータの信号が出力される。
【００２８】
周波数調整部１０８は、上述したように、水晶振動子１０３と共に発振回路１１０を構成する。周波数調整部１０８は、ヒューズ１０７からの調整信号に応じて、発振回路１１０における負荷容量の定数を調整する。その結果、発振回路１１０は、所定周波数のクロック信号を出力する。
【００２９】
図２は、周波数調整部１０８と水晶振動子１０３から構成される発振回路１１０の回路の一例を示す図である。図２に示すように、周波数調整部１０８は、２つのコンデンサＣ１，Ｃ２と、帰還抵抗Ｒｆと、制限抵抗Ｒｄと、２つのインバータとを含む。コンデンサＣ１，Ｃ２は、可変容量コンデンサであり、ヒューズ１０７からの調整信号に応じた容量値に設定される。コンデンサＣ１，Ｃ２の容量値を変えることで、発振回路１１０が出力するクロック信号の周波数を調整することができる。
【００３０】
帰還抵抗Ｒｆは、発振段インバータの出力側から電流を帰還させ、水晶振動子１０３の発振を継続させる。制限抵抗Ｒｄは、水晶振動子１０３に流れる電流を制御する。なお、ヒューズ１０７から出力される調整信号には、コンデンサＣ１，Ｃ２の容量値を調整するための値だけでなく、周波数調整部１０８の駆動電流も調整するための、制限抵抗Ｒｄの抵抗値を設定するための調整値が含まれていてもよい。この場合、制限抵抗Ｒｄには可変抵抗が用いられ、一般的に知られているように、制限抵抗Ｒｄの抵抗値を最適に設定することで発振回路１１０が安定して発振する。
【００３１】
前述したように、ヒューズ１０７におけるヒューズリセットがアクティブの状態では、ヒューズ１０７からは全て１（または全て０）のデータの信号が出力される。当該信号が周波数調整部１０８に入力されても発振回路１１０は発振しない。仮に発振したとしても、所定の周波数からは大きく離れた周波数で発振する。
【００３２】
ＲＦ信号処理部１０９は、発振回路１１０からのクロック信号に従って動作し、高周波信号処理を行う。すなわち、ＲＦ信号処理部１０９は、ＢＢ信号処理部１０６から入力されたベースバンド帯の変調信号を所定のキャリア周波数に周波数変換し、所定の送信電力に増幅し、アンテナ１０４から送信する。また、ＲＦ信号処理部１０９は、アンテナ１０４が受信した高周波信号をベースバンド帯に周波数変換し、ＢＢ信号処理部１０６へ送る。なお、ＲＦ信号処理部１０９は、ＢＢＩＣ１０１のＢＢ制御部１０５又はＢＢ信号処理部１０６によってリセットが制御される。ＲＦ信号処理部１０９に入力されるリセット信号がロー（Ｌ）レベルであればＲＦリセットがアクティブになり、その後、当該リセット信号がハイ（Ｈ）レベルに変わればＲＦリセットが解除される。
【００３３】
以下、電源投入時の実施の形態１の無線通信装置１００の動作について説明する。図３は、実施の形態１の無線通信装置１００の電源が投入された際の起動手順を示すフローチャートである。
【００３４】
無線通信装置１００の電源が投入されると、ＢＢＩＣ１０１及びＲＦＩＣ１０２に電力が供給されるとともに、ＢＢ制御部１０５に外部クロック信号が供給される（ステップ２０００：図１の（１））。次に、ＢＢ制御部１０５のリセットがアクティブにされた後、当該リセットが解除される（ステップ２０１０：図１の（２））。次に、ＢＢ制御部１０５は、ＲＦＩＣ１０２のヒューズ１０７のリセットをアクティブにした後、当該リセットを解除する（ステップ２０２０：図１の（３））。ＢＢ制御部１０５がヒューズ１０７のリセットを解除するタイミングは、ＲＦＩＣ１０２への電力供給が開始され、ＲＦＩＣ１０２が外部からの信号を入力できる状態になるまでの時間に基づいて決定される。
【００３５】
次に、ヒューズ１０７は、保持している調整値を示す調整信号を出力する（ステップ２０３０：図１の（４））。次に、発振回路１１０が調整信号に応じた周波数で発振を開始する（ステップ２０４０）。次に、発振回路１１０から出力されたクロック信号がＢＢ信号処理部１０６とＲＦ信号処理部１０９へ供給される（ステップ２０５０：図１の（５））。
【００３６】
次に、ＢＢ制御部１０５は、ＢＢ信号処理部１０６のリセットをアクティブにした後、当該リセットを解除する（ステップ２０６０：図１の（６））。ＢＢ制御部１０５がＢＢ信号処理部１０６のリセットを解除するタイミングは、ＢＢ制御部１０５がヒューズ１０７のリセットを解除した時点から、発振回路１１０が安定して発振する状態になるまでの時間が経過した時である。また、ＢＢ制御部１０５がＢＢ信号処理部１０６のリセットを解除するタイミングは、発振回路１１０から出力されたクロック信号がＢＢ制御部１０５にも入力される場合、ＢＢ制御部１０５が安定したクロック信号の入力を検出した時であっても良い。
【００３７】
次に、ＢＢ信号処理部１０６は、ＲＦ信号処理部１０９のリセットをアクティブにした後、当該リセットを解除する（ステップ２０７０：図１の（７））。ステップ２０７０の処理は、ＢＢ制御部１０５によって、ステップＳ２６００と同時に行われても良い。すなわち、ＢＢ制御部１０５が、ＲＦ信号処理部１０９のリセットをアクティブにした後、当該リセットを解除しても良い（図１の（７’））。こうして、無線通信装置１００の起動が完了し（ステップ２０８０）、無線通信装置１００は通信可能な状態となる。
【００３８】
以上説明したように、本実施の形態によれば、ヒューズ１０７に対するリセットが解除され、安定して発振する状態の発振回路１１０からクロック信号がＢＢ信号処理部１０６及びＲＦ信号処理部１０９に供給されるようになってから、ＢＢ信号処理部１０６及びＲＦ信号処理部１０９のリセットが解除される。このように、ＢＢ信号処理部１０６及びＲＦ信号処理部１０９は、安定した所定の周波数のクロック信号が供給された状態で起動するため、電源投入時に無線通信装置１００は正しく起動することができる。
【００３９】
また、ヒューズリセットとＲＦリセットをＢＢＩＣ１０１が制御する構成であるため、無線通信装置１００のリセット端子はＢＢＩＣリセットのための端子のみである。このように、無線通信装置１００の端子数が少ないため、無線通信装置１００の小型化を実現できる。また、無線通信装置１００のユーザはＢＢＩＣリセットのみを制御するだけでよいので、ユーザの負担が増大しない。
【００４０】
（実施の形態２）
図４は、本発明の実施の形態２の無線通信装置２００の内部構成を示すブロック図である。第２の実施形態の無線通信装置２００が第１の実施形態の無線通信装置１００と異なる点は、ＢＢＩＣ１０１のＢＢ制御部１０５によってＲＦＩＣ１０２への電力供給が制御される点である。この点以外は第１の実施形態と同様であり、図４において、図１と同じ構成要素については同じ符号を用い、説明を省略する。
【００４１】
図４に示すように、無線通信装置２００の外部にはＲＦ電源供給部２１１が設けられている。ＢＢＩＣ２０１のＢＢ制御部２０５は、ＢＢＩＣ用リセットが解除された後、ＲＦＩＣ１０２への電源供給を制御するＲＦＩＣ電源制御信号を出力する。ＲＦ電源供給部２１１は、ＲＦＩＣ電源制御信号に従ってＲＦＩＣ１０２へ電力を供給する。なお、ＲＦ電源供給部２１１は、ＢＢＩＣ２０１への電力供給部と共用されれば好ましい。
【００４２】
図５は、実施の形態２の無線通信装置２００の電源が投入された際の起動手順を示すフローチャートである。本実施の形態では、図４に示した実施の形態１のフローチャートにおけるステップＳ２０００の代わりにステップＳ２００１が行われ、ステップ２０１０とステップＳ２０２０の間に、ステップ２０１１とステップ２０１２が行われる。
【００４３】
ステップＳ２００１では、ＢＢＩＣ１０１に電力が供給されるとともに、ＢＢ制御部１０５に外部クロック信号が供給される（図４の（１））。ステップＳ２０１０の後に行われるステップＳ２０１１では、ＢＢ制御部２０５は、ＲＦＩＣ電源制御信号を出力にする。次に、ＲＦ電源供給部２１１は、ＲＦＩＣ１０２への電力供給を開始する（ステップ２０１２）。ＢＢ制御部１０５は、ＲＦＩＣ１０２へ電力が供給されてからヒューズリセットをアクティブにする。
【００４４】
以上説明したように、本実施の形態によれば、ＢＢＩＣ２０１のＢＢ制御部２０５がＲＦＩＣ１０２への電力供給を制御するため、ＲＦＩＣ１０２の電源を完全にオフすることができる。このため、無線通信装置２００におけるスリープ状態等の消費電力を抑えたい場合には、実施の形態１に比べてさらなる低消費電力化を実現できる。例えば、スリープ状態ではＢＢ制御部２０５のみが起動しているものとして、周期的にスリープ状態から復帰して必要な通信を行う場合、無線通信装置２００がスリープ状態から復帰するには、図５のステップ２０１１以降の処理を行えば良い。
【００４５】
上記説明では、ＲＦ電源供給部２１１が無線通信装置２００の外に配置されているが、ＲＦ電源供給部２１１を無線通信装置内へ配置する構成としても良い。この場合、無線通信装置の端子を減らすことができるので、制御が簡易になり、ユーザ負担を増大させないという効果がある。
【００４６】
以上、本発明の好ましい実施の形態について説明したが、本発明は上記の実施の形態に限定されることなく、本発明の主旨を逸脱しない範囲で種々の変更が可能であり、それらも本発明の範囲内に包含される。
【００４７】
上記各実施形態では、本発明をハードウェアで構成する場合を例にとって説明したが、本発明はハードウェアとの連携においてソフトウェアでも実現することも可能である。
【００４８】
また、上記各実施形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００４９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００５０】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００５１】
なお、上記実施形態ではアンテナとして説明したが、アンテナポートでも同様に適用できる。アンテナポート（Antenna port）とは、１本又は複数の物理アンテナから構成される論理的なアンテナを指す。すなわち、アンテナポートは必ずしも1本の物理アンテナを指すとは限らず、複数のアンテナから構成されるアレイアンテナ等を指すことがある。例えばＬＴＥ（Long Term Evolution）においては、アンテナポートが何本の物理アンテナから構成されるかは規定されず、基地局が異なる参照新号（Reference signal）を送信できる最小単位として規定されている。また、アンテナポートは、プリコーディング・ベクトル（Precoding vector）の重み付けを乗算する最小単位として規定されることもある。
【産業上の利用可能性】
【００５２】
本発明に係る無線通信装置は、ＢＢＩＣとＲＦＩＣとで構成される、無線ＬＡＮやZigBee（登録商標）、Bluetooth（登録商標）等の各種無線通信装置として応用できる。また、小型化が可能となることから、特に携帯端末に搭載する無線通信装置として有用である。
【符号の説明】
【００５３】
１００、２００  無線通信装置
１０１、２０１  ＢＢＩＣ
１０２  ＲＦＩＣ
１０３  水晶振動子
１０４  アンテナ
１０５、２０５  ＢＢ制御部
１０６  ＢＢ信号処理部
１０７  ヒューズ
１０８  周波数調整部
１０９  ＲＦ信号処理部
１１０  発振回路
２１１  ＲＦ電源供給部
【図１】
2014165516.tif 000003
【図２】
2014165516.tif 000004
【図３】
2014165516.tif 000005
【図４】
2014165516.tif 000006
【図５】
2014165516.tif 000007
【図６】
2014165516.tif 000008